(57)【特許請求の範囲】
【請求項１】
押圧突起が形成された可動部材が結合方向と直交する方向に弾性部材により移動可能に組み込まれた雌型コネクタに結合される雄型コネクタであって、
前記雄型コネクタは、少なくとも１本の雄型コンタクトと、前記雄型コンタクトが収容される雄型ハウジングと、を有し、
前記雄型ハウジングには、前記雌型コネクタに前記弾性部材が弾性変形されて弾性力が蓄えられた状態で係止されている前記可動部材の係止を解除する係止解除部と、前記可動部材の前記押圧突起が形成された側と対向する面に、前記押圧突起に押圧される被押圧突起と、が形成されており、
前記雌型コネクタに結合される際に、前記雄型ハウジングの前記係止解除部が前記雌型コネクタの前記可動部材の係止を解除し、前記押圧突起が形成された前記可動部材が前記弾性部材の有する弾性力により移動され、前記雌型コネクタの前記弾性部材の弾性力により前記可動部材の前記押圧突起が移動されることによって前記雄型ハウジングの前記被押圧突起が押圧され、前記雄型ハウジングが結合方向に押し込まれることを特徴とする雄型コネクタ。
【請求項２】
前記雄型ハウジングの前記被押圧突起は、所定高さの柱状体で形成されており、
前記被押圧突起は、前記雌型コネクタの前記可動部材に形成された前記押圧突起の結合方向側が傾斜した部分で押圧されることを特徴とする請求項１に記載の雄型コネクタ。
【請求項３】
前記雄型ハウジングの前記被押圧突起は、結合方向側とは反対側に傾斜した部分を有した所定高さの傾斜押圧部を有しており、
前記被押圧突起は、前記雌型コネクタの前記可動部材に形成された柱状体に形成された前記押圧突起に押圧されることを特徴とする請求項１に記載の雄型コネクタ。
【請求項４】
前記被押圧突起は、前記係止解除突起に比べ、前記雄型ハウジングの結合方向側に形成されており、
前記雌型コネクタに結合される際に、前記被押圧突起が前記押圧突起に押圧可能な位置に配置された後、前記係止解除突起により前記可動部材の係止が解除されることを特徴とする請求項１〜３のいずれかに記載の雄型コネクタ。
【請求項５】
請求項１〜４のいずれかに記載の雄型コネクタが結合される雌型コネクタであって、
前記雌型コネクタは、前記雄型コンタクトと接触される少なくとも１本の雌型コンタクトと、前記雌型コンタクトが収容されると共に前記雄型ハウジングが挿入される内部空間が形成された雌型ハウジングと、前記雌型ハウジングに組み込まれた可動部材と、前記可動部材を押圧する弾性部材と、を有し、
前記雌型ハウジングには、結合方向と直交する方向に移動可能に前記可動部材が組み込まれる組込部が形成され、
前記可動部材には、係止突起と、前記組込部の前記内部空間側に配置される側に前記押圧突起と、が形成され、
前記組込部には、前記係止突起と係止される係止部と、前記内部空間と連通する連通部と、が形成され、
前記雄型コネクタと結合される際に、
前記可動部材は、前記弾性部材が弾性変形されて弾性力が蓄えられた状態で前記可動部材の前記係止突起と前記組込部の前記係止部に係止されて前記組込部に組み込まれており、
前記係止突起は、前記雄型コネクタの前記係止突起と対向する面に形成された係止解除部に当接させることで、前記係止部との係止が解除され、
前記可動部材が前記弾性部材の弾性力により移動され、前記弾性部材の弾性力により移動された前記可動部材の前記押圧突起により、前記雄型ハウジングに形成された前記被押圧突起が押圧され、前記雄型ハウジングが結合方向に押し込まれることを特徴とする雌型コネクタ。
【請求項６】
前記押圧突起は、前記雄型コネクタの前記被押圧突起と押圧される側の結合方向側が傾斜した傾斜押圧部を有しており、
前記押圧突起の前記傾斜押圧部により、前記雄型コネクタの所定の高さの柱状体で形成された前記被押圧突起が押圧されることを特徴とする請求項５に記載の雌型コネクタ。
【請求項７】
前記押圧突起は、所定高さの柱状体で形成されており、
前記押圧突起により、前記雄型コネクタの結合方向とは反対側が傾斜して形成された部分が押圧されることを特徴とする請求項５に記載の雌型コネクタ。
【請求項８】
前記押圧突起には、前記傾斜押圧部の端部側に結合方向に沿って形成された押圧面を有し、
雄型コネクタと結合された場合に、前記可動部材の前記押圧突起の前記押圧面により前記雄型コネクタの前記被押圧突起が押圧し続けられることを特徴とする請求項６に記載の雌型コネクタ。
【請求項９】
前記係止突起は、前記係止部と係止される反対側を基準に弾性変形可能な係止腕に形成されていることを特徴とする請求項５に記載の雌型コネクタ。
【請求項１０】
請求項１〜４のいずれかの雄型コネクタと、請求項５〜９のいずれかの雌型コネクタとからなることを特徴とする電気コネクタ。
【発明の詳細な説明】
【技術分野】
【０００１】
本発明は、雄型コネクタ及び雌型コネク並びにこれらのコネクタからなる電気コネクタに関し、詳しくは、雄型コネクタと雌型コネクタの結合時に半嵌合状態となることを抑制できる構成を有する雄型コネクタ及び雌型コネクタ並びにこれらのコネクタからなる電気コネクタに関するものである。
【背景技術】
【０００２】
雄型コネクタと雌型コネクタを結合させた際に、半嵌合状態を検知することができる電気コネクタの発明が下記特許文献１に開示されている。下記特許文献１に開示された電気コネクタは、第１の稜線部と、前記第１の稜線部から所定長さ延設されて対向する一対の第１、第２の傾斜部が設けられた第１のカム突起を有するスライダーが長手結合方向と直交する方向に弾性部材によりスライド移動自在に組み込まれた雌型コネクタに嵌合結合される雄型コネクタであって、前記雄型コネクタは、所定本数の良導電性のコンタクトと、前記コンタクトが収容される電気絶縁性の雄型ハウジングとを備え、 前記雄型ハウジングは、該雄型ハウジングの外周壁面に、第２の稜線部と、前記第２の稜線部から所定長さで延設されて前記スライダーの第１の傾斜部に突き当たって摺接される第３の傾斜部と、前記第２の稜線部から所定長さ延設されて前記第２の傾斜部に摺接されて圧接保持される第４の傾斜部とを有する第２のカム突起が形成されている雄型コネクタと、前記雄型コネクタのコンタクトと電気的に接触接続される所定本数の良導電性のコンタクトと、前記コンタクトが収容される共に前記雄型ハウジングが嵌合される嵌合孔を有する電気絶縁性の雌型ハウジングと、前記雌型ハウジングに組み込まれるスライダーとを備え、前記雌型ハウジングは、長手結合方向と直交する方向に前記嵌合孔に連通したスライダーの組込み孔が形成されて、前記スライダーは、スライダー本体に第１の稜線部と、前記第１の稜線部から所定長さ延設されて前記雄型コネクタの第３の傾斜部が突き当たって摺接される第１の傾斜部と、前記第１の稜線部から所定長さ延設されて前記第４の傾斜部に摺接されて圧接保持される第２の傾斜部とを有する第１のカム突起が形成されて、前記スライダー本体が前記組込み孔に前記第１のカム突起が前記嵌合孔に向けて弾性部材によりスライド移動自在に装着されている雌型コネクタとからなることを特徴としている。
【先行技術文献】
【特許文献】
【０００３】
【特許文献１】特開２０１１−１７５８６７号公報
【発明の概要】
【発明が解決しようとする課題】
【０００４】
上記特許文献１に開示された電気コネクタによれば、雄型コネクタと雌型コネクタの結合時に、雌型コネクタのスライダーに形成された突起と雄型コネクタのハウジングに形成された突起とが突き当たり、この突き当り時の感触及びスライダー移動の目視により半嵌合状態の有無を検知できるようになっている。
【０００５】
しかし、上記特許文献１に開示された電気コネクタでは、雄型コネクタと雌型コネクタの嵌合結合は、結合が完了するまで使用者が力を加えている必要があり、また、半嵌合状態と検知された場合、再度、使用者が結合を行なう必要がある。
【０００６】
そこで、本発明は、雌型コネクタと雄型コネクタが結合される際に、一定の距離嵌め合わされることで、自動的に結合が行なわれる構成を備えた雄型コネクタ及び雌型コネクタ並びにこれらの雄型コネクタと雌型コネクタからなる電気コネクタを提供することにある。
【課題を解決するための手段】
【０００７】
上記目的を達成するために、請求項１に記載の雄型コネクタは、押圧突起が形成された可動部材が結合方向と直交する方向に弾性部材により移動可能に組み込まれた雌型コネクタに結合される雄型コネクタであって、
前記雄型コネクタは、少なくとも１本の雄型コンタクトと、前記雄型コンタクトが収容される雄型ハウジングと、を有し、
前記雄型ハウジングには、前記雌型コネクタに前記弾性部材が弾性変形されて弾性力が蓄えられた状態で係止されている前記可動部材の係止を解除する係止解除部と、前記可動部材の前記押圧突起が形成された側と対向する面に、前記押圧突起に押圧される被押圧突起と、が形成されており、
前記雌型コネクタに結合される際に、前記雄型ハウジングの前記係止解除部が前記雌型コネクタの前記可動部材の係止を解除し、前記押圧突起が形成された前記可動部材が前記弾性部材の有する弾性力により移動され、前記雌型コネクタの前記弾性部材の弾性力により前記可動部材の前記押圧突起が移動されることによって前記雄型ハウジングの前記被押圧突起が押圧され、前記雄型ハウジングが結合方向に押し込まれることを特徴とする。
【０００８】
また、第２の態様の雄型コネクタは、第１の態様の雄型コネクタにおいて、前記雄型ハウジングの前記被押圧突起は、所定高さの柱状体で形成されており、
前記被押圧突起は、前記雌型コネクタの前記可動部材に形成された前記押圧突起の結合方向側が傾斜した部分で押圧されることを特徴とする。
【０００９】
また、第３の態様の雄型コネクタは、第１の態様の雄型コネクタにおいて、前記雄型ハウジングの前記被押圧突起は、結合方向側とは反対側に傾斜した部分を有した所定高さの傾斜押圧部を有しており、
前記被押圧突起は、前記雌型コネクタの前記可動部材に形成された柱状体に形成された前記押圧突起に押圧されることを特徴とする。
【００１１】
また、第４の態様の雄型コネクタは、第１〜第３のいずれかの態様の雄型コネクタにおいて、前記被押圧突起は、前記係止解除突起に比べ、前記雄型ハウジングの結合方向側に形成されており、
前記雌型コネクタに結合される際に、前記被押圧突起が前記押圧突起に押圧可能な位置に配置された後、前記係止解除突起により前記可動部材の係止が解除されることを特徴とする。
【００１２】
また、本発明の雌型コネクタは、第１〜第４のいずれかの態様の雄型コネクタが結合される雌型コネクタであって、
前記雌型コネクタは、前記雄型コンタクトと接触される少なくとも１本の雌型コンタクトと、前記雌型コンタクトが収容されると共に前記雄型ハウジングが挿入される内部空間が形成された雌型ハウジングと、前記雌型ハウジングに組み込まれた可動部材と、前記可動部材を押圧する弾性部材と、を有し、
前記雌型ハウジングには、結合方向と直交する方向に移動可能に前記可動部材が組み込まれる組込部が形成され、
前記可動部材には、係止突起と、前記組込部の前記内部空間側に配置される側に前記押圧突起と、が形成され、
前記組込部には、前記係止突起と係止される係止部と、前記内部空間と連通する連通部と、が形成され、
前記雄型コネクタと結合される際に、
前記可動部材は、前記弾性部材が弾性変形されて弾性力が蓄えられた状態で前記可動部材の前記係止突起と前記組込部の前記係止部に係止されて前記組込部に組み込まれており、
前記係止突起は、前記雄型コネクタの前記係止突起と対向する面に形成された係止解除部に当接させることで、前記係止部との係止が解除され、
前記可動部材が前記弾性部材の弾性力により移動され、前記弾性部材の弾性力により移動された前記可動部材の前記押圧突起により、前記雄型ハウジングに形成された前記被押圧突起が押圧され、前記雄型ハウジングが結合方向に押し込まれることを特徴とする。
【００１３】
また、第２の態様の雌型コネクタは、上記態様の雌型コネクタにおいて、前記押圧突起は、前記雄型コネクタの前記被押圧突起と押圧される側の結合方向側が傾斜した傾斜押圧部を有しており、
前記押圧突起の前記傾斜押圧部により、前記雄型コネクタの所定の高さの柱状体で形成された前記被押圧突起が押圧されることを特徴とする。
【００１４】
また、第３の態様の雌型コネクタは、上記第１の態様の雌型コネクタにおいて、前前記押圧突起は、所定高さの柱状体で形成されており、
前記押圧突起により、前記雄型コネクタの結合方向とは反対側が傾斜して形成された部分が押圧されることを特徴とする。
【００１５】
また、第４の態様の雌型コネクタは、第２の態様の雌型コネクタにおいて、前記押圧突起には、前記傾斜押圧部の端部側に結合方向に沿って形成された押圧面を有し、
雄型コネクタと結合された場合に、前記可動部材の前記押圧突起の前記押圧面により前記雄型コネクタの前記被押圧突起が押圧し続けられることを特徴とする。
【００１７】
また、第５の態様の雌型コネクタは、上記第１の態様の雌型コネクタにおいて、前記係止突起は、前記係止部と係止される反対側を基準に弾性変形可能な係止腕に形成されていることを特徴とする。
【００１８】
また、本発明の電気コネクタは、第１〜第４のいずれかの態様の雄型コネクタと、第１〜第５のいずれかの態様の雌型コネクタとからなることを特徴とする。
【発明の効果】
【００１９】
本発明の雄型コネクタによれば、相手方の雌型コネクタと結合された場合に、雄型ハウジングに形成された被押圧突起が、雌型コネクタの可動部材に形成された押圧突起に押圧され、雄型ハウジングが結合方向に押し込められることで結合を確実に行うことができるようになり、半嵌合状態となることを抑制することができる。また、雌型コネクタと結合される際に、雄型ハウジングに形成された係止解除部により、雌型コネクタの可動部材の係止を解除させることができるので、簡単な構造とすることができる。
【００２０】
また、第２又は第３の態様の雄型コネクタによれば、雌型コネクタの可動部材に形成された押圧突起に対応した被押圧突起を容易に形成することができる。
【００２２】
また、第４の態様の雄型コネクタによれば、雌型コネクタへの結合を円滑におこなうことができるようになる。
【００２３】
本発明の雌型コネクタによれば、雄型コネクタと結合された場合に、雌型ハウジングに組み込まれた可動部材に形成された押圧突起が、弾性部材の弾性力により雄型コネクタに形成された被押圧突起を押圧することで、雄型ハウジングが結合方向に押し込められるようになり、結合を確実に行うことができ、半嵌合状態となることを抑制することができる。また、雄型コネクタと結合される際に、雄型ハウジングに形成された係止解除部により、雌型コネクタの可動部材の係止を解除させることができるので、簡単な構造とすることができる。
【００２４】
また、第２又は第３の態様の雌型コネクタによれば、雄型コネクタに形成された被押圧突起に対応する押圧突起を容易に形成することができる。
【００２５】
また、第４の態様の雌型コネクタによれば、雄型コネクタと結合された後も、可動部材の押圧突起が弾性部材の弾性力により雄型コネクタの被押圧突起を押圧することで、確実な結合を行なうことができると共に、振動等に対しての耐久性を高くすることができる。
【００２７】
また、第５の態様の雌型コネクタによれば、係止解除突起により係止突起と係止部との係止解除を円滑に行なうことができるようになる。
【００２８】
また、本発明の電気コネクタによれば、第１〜第４のいずれかの態様の雄型コネクタと、第１〜第５のいずれかの態様の雌型コネクタのそれぞれの効果を奏する電気コネクタを得ることができる。
【図面の簡単な説明】
【００２９】
【図１】図１Ａは本発明の実施形態に係る電気コネクタを構成する雌型コネクタと雄型コネクタとを外した状態を示した斜視図であり、図１Ａは雄型コネクタと雌型コネクタを結合させた状態を示した斜視図である。
【図２】図２は電気コネクタの分解斜視図である。
【図３】図３Ａはスライダーを係止させた状態を示した雌型コネクタの斜視図であり、図３Ｂはスライダーの係止を解除した状態を示した斜視図である。
【図４】図４はスライダーの係止を解除した状態の雌型コネクタを示し、図４Ａは正面図であり、図４Ｂは平面図であり、図４Ｃは一方から見た側面図である。
【図５】図５Ａは雌型コネクタの別方向から見た斜視図であり、図５Ｂは雌型ハウジングを示した斜視図である。
【図６】図６はスライダーを示し、図６Ａは斜視図であり、図６Ｂは別方向から見た斜視図である。
【図７】図７はスライダーを示し、図７Ａは平面図であり、図７Ｂは正面図であり、図７Ｃは底面図である。
【図８】図８は雄型コネクタを示し、図８Ａは斜視図であり、図８Ｂは正面図である。
【図９】図９は雄型コネクタを示し、図９Ａは平面図であり、図９Ｂは一方から見た側面図であり、図９Ｃは底面図である。
【図１０】図１０は雄型コネクタと雌型コネクタの結合の工程を示し、図１０Ａは図１ＡのXA−XA線での断面斜視図であり、図１０Ｂは図１０Ａに続く工程の斜視図である。
【図１１】図１１Ａは図１０Ｂに続く工程の斜視図であり、図１１Ｂは図１１Ａに続く工程の斜視図である。
【図１２】図１２は雄型コネクタと雌型コネクタの結合の工程を示し、図１２Ａは図１ＡのXIIA−XIIA線での断面斜視図であり、図１２Ｂは図１２Ａに続く工程の斜視図である。
【図１３】図１３Ａは図１２Ｂに続く工程の斜視図であり、図１３Ｂは図１３Ａに続く工程の斜視図である。
【図１４】図１４Ａ〜図１４Ｄは、図１２Ａ、図１２Ｂ、図１３Ａ、図１３Ｂのスライダーの部分を中心として拡大した状態を示すそれぞれの拡大断面図である。
【図１５】図１５Ａは図１２ＡのXVA−XVA線での断面図であり、図１５Ｂは図１２ＢのXVB−XVB線での断面図であり、図１５Ｃは図１３ＡのXVC−XVC線での断面図であり、図１５Ｄは図１３ＢのXVD−XVD線での断面図である。
【図１６】図１ＢのXVI-XVI線での断面図である。
【発明を実施するための形態】
【００３０】
以下、図面を参照して本発明の実施形態を説明する。但し、以下に示す実施形態は、本発明の技術思想を具体化するための雄型コネクタ及び雌型コネクタ並びにこれらのコネクタからなる電気コネクタを例示するものであって、本発明をこれらに特定することを意図するものではなく、特許請求の範囲に含まれるその他の実施形態のものにも等しく適応し得るものである。
【００３１】
［実施形態］
図１〜図１６を参照して、本発明の実施形態に係る電気コネクタ１０について説明する。電気コネクタ１０は、図１及び図２に示すように、雌型コネクタ１２と雄型コネクタ１３４とで構成されている。そして、実施形態に係る電気コネクタ１０は、雄型コネクタ１３４と雌型コネクタ１２を嵌合させることで、それぞれに設けられた各コンタクト１４、１３６が接触され、電気的な接続が行われる。このとき、雌型コネクタ１２には、弾性部材としてのコイル状のバネ１３０と、このバネ１３０の弾性力により移動される可動部材としてのスライダー７８が設けられており、このスライダー７８には、雄型コネクタ１３４に形成された被押圧突起１６０を押圧する押圧突起１０２が形成されている（図６参照）。そして、雌型コネクタ１２に雄型コネクタ１３４が挿入された場合、雌型コネクタ１２のスライダー７８が弾性力により移動されると共に、雄型コネクタ１３４に形成された被押圧突起１６０が押圧突起１０２により押圧されることで、雄型コネクタ１３４と雌型コネクタ１２の結合が確実に行われるようになっている（図１４、図１５参照）。以下、雄型コネクタ１３４及び雌型コネクタ１２について説明する。
【００３２】
まず、図２〜図７、図１０〜図１３及び図１６を参照して、雌型コネクタ１２について説明する。雌型コネクタ１２は、図２及び図１６に示すように、所定本数の雌型コンタクト１４と、これらの雌型コンタクト１４が収容される雌型ハウジング２４と、雌型ハウジング２４内に装着された雌型リテーナ１３２と、雌型ハウジング２４に弾性部材としてのバネ１３０を介在して移動可能に組み込まれた可動部材としてのスライダー７８とで構成されている。
【００３３】
雌型コンタクト１４は、図２及び図１６に示すように雌型コンタクト本体１６と、この雌型コンタクト本体１６の一方側に雄型コンタクト１３６と接触される接触部１８と、他方側に電線２２が接続される接続部２０とを有する金属等の導電性材料で形成されている。なお、実施形態の雌型コネクタ１２では、２本の雌型コンタクト１４が設けられている。
【００３４】
雌型ハウジング２４は、図３〜図５、図１０〜図１３及び図１６に示すように、相手方の雄型コネクタ１３４が嵌合結合される結合部２６と、結合部２６の反対側であって、雌型コンタクト１４に接続された電線２２が支持される電線支持部２８とを有し、それぞれが連通された中空の内部空間５０を有するように、樹脂材料で形成されている。
【００３５】
結合部２６は、雄型ハウジング１４６が差し込まれる側の前面３０と、前面３０と対向し、電線支持部２８が延設された後面３８と、外周を囲う上面４０、底面４２、一方の側面４４及び他方の側面４６とで構成された略直方体形状の筒状体で形成されている。また、結合部２６の内部には、前面３０に形成された開口部３２と連通する内部空間５０が設けられ、この内部空間５０には雌型リテーナ１３２が設けられると共に、装着された雌型コンタクト１４が配置されるようになる。なお、内部空間５０は電線支持部２８と連通されている。
【００３６】
また、内部空間５０の４隅には、楔状の楔状溝５４が形成されており、前面３０側から奥側の後面３８に向かうに連れて徐々に狭くなっている。なお、底面４２側の楔状溝５４には、楔状溝５４の端部からさらに奥側、すなわち後面３８側に向かって形成されるガイド溝５６が形成されている。さらに、内部空間５０には、装着された雌型コンタクト１４を位置決め固定させるための固定片５２が形成されている（図１６参照）。また、結合部２６には、内部空間５０の上面４０側に、スライダー７８が組込まれる組込部５８が形成されている。
【００３７】
結合部２６の前面３０には、雄型コネクタ１３４が差し込まれる開口部３２が形成され、さらに、この開口部３２の４隅の角部には、それぞれ外側に向かって凹んだ凹部３４が形成されている。この凹部３４は、内部空間５０に形成された楔状溝５４の入り口となっている。
【００３８】
開口部の上面４０側には、所定の幅の溝が形成されている。この溝は、雄型コネクタ１３４が雌型コネクタ１２に挿入される際に、雄型コネクタ１３４に形成された後述する被押圧突起１６０及び係止解除突起１６８が通過する通過溝３６となっており、これらの各突起１６０、１６８が通過できる幅で形成され、組込部５８に繋がっている。
【００３９】
また、結合部２６の前面３０の上面４０側には、平坦な矩形状の平開口部１２６が形成され、この平開口部１２６は、組込部５８に連通されている。
【００４０】
結合部２６の後面３８には、電線支持部２８が延設されている。また、後面３８の電線支持部２８の上方には、前面３０に形成された平開口部１２６と対向するように、同様の平開口部１２６が形成されている（図示省略）。
【００４１】
結合部２６の上面４０には、スライダー７８が組込まれる組込部５８が他方の側面４６側に亘って開口されて形成されている。
【００４２】
結合部２６の他方の側面４６には、スライダー７８の組込部５８が上面４０側に開口されて形成されている。また、他方の側面４６には、内部空間５０と連通した窓部４８が形成されている。この窓部４８は、対向する一方の側面４４にも形成されている。また、結合部の底面４２は、平坦な面で形成されている。
【００４３】
結合部２６に形成された組込部５８は、スライダー７８が他方の側面４６側の入口側７６から組み込まれて、嵌合方向に対して直角方向に移動可能なように切り欠かれて形成されている。また、組込部５８は、内部空間５０と繋がる連通部６０と、スライダー７８の移動を案内する一対の案内部６２が対向して形成されている。
【００４４】
連通部６０は、雄型コネクタ１３４が雌型コネクタ１２の結合部２６に挿入される場合に、スライダー７８に形成された押圧突起１０２が移動される空間となり、また、挿入された雄型コネクタ１３４に形成された被押圧突起１６０が移動され、スライダー７８の押圧突起１０２と接触される部分となる。
【００４５】
また、案内部６２は、組込部５８の前面３０側及び後面３８側に対向してそれぞれ形成されている。この案内部６２は、連通部６０側の下段部６８と、下段部６８に比べて高い上段部６４を有する段状で形成されている。
【００４６】
なお、案内部６２の下段部６８の前面３０側には、スライダー７８がバネ１３０を弾性変形させて弾性力を蓄えた状態、すなわち、バネ１３０を縮めた状態で係止される係止部６６がそれぞれ形成されている。
【００４７】
また、スライダー７８が組み込まれる入口側７６となる案内部６２の上段部６４側の他方の側面４６側には、後述するスライダー７８に形成された規制突起１１６が当接される壁部７２がそれぞれ形成されている。なお、この壁部７２は、スライダー７８の案内腕１１２はそのまま通過できるが、規制突起１１６が形成された部分は案内腕１１２が狭められるように弾性変形しなければ通過できないような幅で形成されている。
【００４８】
また、案内部６２は、結合部２６の前面３０及び後面３８に形成された平開口部１２６とそれぞれ連通されている。
【００４９】
また、結合部２６には、組込部５８の奥側、すなわち、一方の側面４４側の上面４０の裏側に、後述するスライダー７８に形成された案内レール９２が通過する一対の案内溝７４と、山部９０が通過するトンネル溝７５が形成されている。
【００５０】
また、組込部５８の奥側、すなわち、一方の側面４４側の内側には、バネ１３０が取り付けられる取付部７０がスライダー７８の移動方向に沿って突出して形成されている。なお、実施形態の取付部７０は、コイル状のバネ１３０の内側に収まるような円柱体で形成されている。
【００５１】
次に、スライダー７８について図６、図７、図１０〜図１３を参照して説明する。スライダー７８は、平坦な直方体状であって、樹脂材料で形成されており、雌型ハウジング２４の結合部２６に形成された組込部５８に移動可能な状態で組み込まれる。スライダー７８は、バネ１３０が挿入される挿入口８２が形成された前壁部８０と、前壁部８０の反対側であって、使用者が操作を行う操作部８６を有する後壁部８４と、雌型ハウジング２４の結合部２６の上面４０側に設けられる上壁部８８と、雌型ハウジング２４の内部空間５０側に設けられる底壁部９４と、一方の側壁部９６及び他方の側壁部９８とで構成されている。また、スライダー７８の内部には、バネ１３０が収容されるバネ収容部１２４が形成されている。
【００５２】
スライダー７８の底壁部９４には、雄型コネクタ１３４に形成された被押圧突起１６０を押圧する押圧突起１０２が形成されている。さらに、スライダー７８の一方の側壁部９６及び他方の側壁部９８側には、前壁部８０側を軸として、スライダー７８の移動方向とは直角方向に弾性変形可能な片持ち型の案内腕１１２がそれぞれ形成されている。この案内腕１１２は、前壁部８０側が繋がるような第１スリット１１０がそれぞれ形成されて、弾性変形が可能なようにされている。なお、案内腕１１２の先端側には、スライダー７８の移動を規制する規制部１１４がそれぞれ形成されている。この規制部１１４は、案内腕１１２の外側に突出した規制突起１１６を有し、この規制突起１１６が組込部５８に形成された案内部６２の入口側７６の壁部７２と当接することで、バネ１３０の弾性力により移動されたスライダー７８が規制されるようになる。
【００５３】
また、他方の側壁部９８側であって、案内腕１１２の内側には、前壁部８０側を軸として、上壁部８８側に弾性変形可能な係止腕１２０が形成されている。この係止腕１２０は、前壁部８０側が繋がるような第２スリット１１８が形成されており、案内腕１１２の第１スリット１１０と第２スリット１１８との間に設けられている。
【００５４】
スライダー７８の前壁部８０は、略中央部に所定の大きさの挿入口８２が形成されている。この挿入口８２は、実施形態では、例えば、バネ１３０が挿入可能な大きさで形成されている。また、前壁部８０の底壁部９４側には、底壁部９４に形成される押圧突起１０２が前壁部８０側と繋がるように形成されている。さらに、一方の側壁部９６側及び他方の側壁部９８側は、段状に形成されており、雌型ハウジング２４の結合部２６に形成された組込部５８の各案内部６２に対応するような形状となっている。
【００５５】
スライダー７８の後壁部８４は、操作部８６が設けられており、操作部８６は、使用者が操作を行ないやすくするように、中央部が最も凹んでおり、両端に向かうにつれて徐々に中央部に比べ前壁部８０から離れるような曲面状に形成されている。なお、後壁部８４の他方の側壁部９８側には、係止腕１２０を形成するための第２スリット１１８が形成されている。
【００５６】
また、スライダー７８の上壁部８８は、内部にバネ１３０が挿入されるバネ収容部１２４が形成されるため、中央部分が盛り上がった山部９０が形成されている。さらに、山部９０の両側には、前壁部８０から後壁部８４に亘って一対の案内レール９２が形成されている。
【００５７】
また、上壁部８８の他方の側壁部９８側には、後壁部８４から繋がる第２スリット１１８が前壁部８０に至る手前まで形成されている。また、上壁部８８の一方の側壁部９６側及び他方の側壁部９８側には、案内腕１１２を形成するための第１スリット１１０がそれぞれ形成されている。なお、上壁部８８の後壁部８４側は、操作部８６が設けられるために、肉厚に形成されている。
【００５８】
底壁部９４は、略中央部に押圧突起１０２が底壁部９４の平面から所定の高さ突出して形成されている。押圧突起１０２は、前壁部８０側から後壁部８４側に向かうにつれて、一方の側壁部９６側から他方の側壁部９８側に向かうように傾斜して形成されている。この傾斜して立設された部分は傾斜押圧部１０４となり、雌型コネクタ１２に雄型コネクタ１３４が挿入された際に、雄型コネクタ１３４の被押圧突起１６０を押圧することで雄型コネクタ１３４を雌型コネクタ１２の奥方向に押圧できるような形状に形成されている。すなわち、傾斜押圧部１０４は、スライダー７８が雌型ハウジング２４の組込部５８に組み込まれた際に、雄型コネクタ１３４が挿入される側とは反対側に傾斜して形成されている。
【００５９】
また、押圧突起１０２の傾斜押圧部１０４の前壁部８０側には、スライダー７８の移動方向に沿った抜け止め面１０８が形成されている。さらに、押圧突起１０２の傾斜押圧部１０４の反対側には、窪み１０６が形成されている。また、押圧突起１０２のスライダー７８の前壁部８０側には、押圧面１０９がスライダー７８の移動方向と直行、すなわち、前壁部８０と並行となるように形成されている。
【００６０】
また、底壁部９４には、上壁部８８と同様に、各第１スリット１１０及び第２スリット１１８が形成されており、各案内腕１１２及び係止腕１２０が形成されている。
【００６１】
なお、係止腕１２０の底壁部９４側には、スライダー７８をバネ１３０が縮んだ状態で雌型ハウジング２４の組込部５８に固定させておく係止突起１２２が形成されている。この係止突起１２２は、結合部２６の組込部５８に形成された係止部６６に係止される部分となる。また、スライダー７８の係止突起１２２は、組込部５８の係止部６６と係止される側、すなわち、後壁部８４側は垂直な面となっており、他方の側壁部９８側及び前壁部８０側は傾斜した面取りがされている。
【００６２】
また、底壁部９４の一方の側壁部９６側と他方の側壁部９８側は、第１スリット１１０を挟んで段差がそれぞれ形成されており、各案内腕１１２が他の部分に比べて薄肉となっている。
【００６３】
一方の側壁部９６及び他方の側壁部９８は、それぞれ案内腕１１２の外側となる部分となっている。また、案内腕１１２の端部の規制部１１４の外側の面には、他の面より突出した規制突起１１６が形成されている。
【００６４】
なお、スライダー７８の一方の側壁部９６側及び他方の側壁部９８側の上壁部８８及び底壁部９４が、組込部５８の案内部６２内を移動されるようになる。
【００６５】
また、雌型リテーナ１３２は、後述する雄型コネクタ１３４に設けられた雄型リテーナ１８６と係合されるようになり、雄型コネクタ１３４との結合が確実に行なわれるようになる。
【００６６】
また、雌型コネクタ１２の組立ては、まず、接続部２０に電線２２を接続した各雌型コンタクト１４を雌型ハウジング２４の電線支持部２８側から挿入し、内部空間５０に形成された固定片５２に雌型コンタクト１４が固定されるまで押し込み、雌型ハウジング２４に雌型コンタクト１４が取り付けられる。その後、雌型ハウジング２４の結合部２６の前面３０に形成された開口部３２から雌型リテーナ１３２を挿入し、内部空間５０に装着させる。
【００６７】
次に、雌型ハウジング２４にスライダーを組み込む。この組み込みは、まず、スライダー７８の前壁部８０に形成された挿入口８２からバネ１３０を挿入し、スライダー７８内のバネ収容部１２４に収容させる。このとき、バネ１３０は、スライダー７８の挿入口８２から突き出した状態となってもよい。その後、雌型ハウジング２４の結合部２６に形成された組込部５８の一方の側面４４側に形成された円柱状の取付部７０にスライダー７８に収容したコイル状のバネ１３０が差し込まれて取り付けられる。そして、スライダー７８の一方の側壁部９６側及び他方の側壁部９８側の案内部６２に対応する部分を組込部５８の他方の側面４６側の入口側７６から案内部６２に挿入する。
【００６８】
その後、スライダー７８をさらに組込部５８内に押し込むことで、組込部５８の案内部６２の上段部６４側の側面に形成された壁部７２により、スライダー７８の案内腕１１２の端部に形成された規制突起１１６が弾性変形し、各案内腕１１２が押し込まれる。このとき、弾性変形した案内腕１１２が元の状態に回復することで、案内腕１１２の規制突起１１６が組込部５８の壁部７２に当接するようになり、スライダー７８が組込部５８から外れなくなる。
【００６９】
さらに、スライダー７８を組込部５８の奥側、すなわち、一方の側面４４側へ押し込むことで、スライダー７８の係止腕１２０に形成された係止突起１２２が組込部５８の係止部６６を乗り越えた後、この係止部６６と係止され、スライダー７８はバネ１３０が縮んだ状態で組込部５８に組み込まれるようになる。このとき、スライダー７８の案内腕１１２の規制突起１１６及び後壁部８４の一部はそれぞれ雌型ハウジング２４の組込部５８側の平開口部１２６と連通した隙間１２８を摺動して移動される。以上で、雌型コネクタ１２の組立てが完了する。
【００７０】
次に、図２、図８、図９、図１６を参照して雄型コネクタ１３４について説明する。雄型コネクタ１３４は、図２及び図１６に示すように、所定本数の雄型コンタクト１３６と、これらの雄型コンタクト１３６が収容される雄型ハウジング１４６と、雌型コネクタ１２に設けられた雌型リテーナ１３２と接続させることでコネクタ同士を確実に結合させるための雄型リテーナ１８６と、で構成されている。
【００７１】
雄型コンタクト１３６は、図２及び図１６に示すように、雄型コンタクト本体１３８を有し、雄型コンタクト本体１３８の一方側に雌型コネクタ１２に設けられる雌型コンタクト１４と接触される接触部１４０と、他方側に電線１４４が接続される接続部１４２と、を有し、金属等の導電性材料で形成されている。なお、実施形態の雄型コネクタ１３４には、２本の雄型コンタクト１３６が設けられている。
【００７２】
雄型ハウジング１４６は、相手方の雌型コネクタ１２に挿入される挿入部１４８と、挿入部１４８の反対側であって、雄型コンタクト１３６に接続された電線１４４を支持する電線支持部１５０とを有し、それぞれが連通された中空の内部空間１７８を有するように樹脂材料で形成されている。
【００７３】
挿入部１４８は、雌型ハウジング２４に挿入される側の前面１５２と、前面１５２と対向し、電線支持部１５０が延設された後面１５６と、外周を囲う上面１５８、底面１７０、一方の側面１７２及び他方の側面１７４とで構成された略直方体形状の筒状体で形成されている。
【００７４】
また、挿入部１４８の内部には、前面１５２に形成された開口部１５４と連通する内部空間１７８が設けられ、この内部空間１７８には雄型リテーナ１８６が設けられると共に、装着された雄型コンタクト１３６が配置されるようになる。さらに、内部空間１７８には、装着された雄型コンタクト１３６を位置決め固定させるための固定片１８０が形成されている。
【００７５】
挿入部１４８の上面１５８は、矩形状の板状体で形成されており、外周側には立設された２つの突起１６０、１６８と、挿入方向に沿った一対の線状突起部１７６が２つの突起１６０、１６８を挟んで形成されている。なお、この線状突起部１７６は、２つの突起１６０、１６８に比べ低背で形成されている。
【００７６】
２つの突起のうち、雌型コネクタ１２に先に挿入される側、すなわち、前面１５２側に形成された突起は、雌型コネクタ１２に設けられたスライダー７８に形成された押圧突起１０２に押圧される被押圧突起１６０となっている。この被押圧突起１６０は、上面１５８の略中心軸上であって、外周から所定高さ立設して形成されている。また、被押圧突起１６０は、図８Ａ、図９Ａに示すように、平面視で一方の側面１７２側、すなわち雌型コネクタ１２のスライダー７８に形成された押圧突起１０２と接する側が曲面状に形成された曲面状部１６２となり、また、他方の側面１７４側の曲面状部１６２を除く部分が平面状に形成された平面状部１６４となり、平面状部１６４側に略直角の角を有するような柱状体となっている。
【００７７】
このとき、曲面状部１６２の側であって、挿入方向とは反対側、すなわち後面１５６側は、押圧突起１０２と直接接触され、押圧される被押圧部１６６となっている。この被押圧部１６６は、後面１５６側の平面状部１６４の部分に比べ、後面１５６側に突出して形成されている。
【００７８】
また、２つの突起のうち、後面１５６側に形成された突起は、雌型コネクタ１２にバネを縮めた状態で組み込まれたスライダー７８の係止を解除する係止解除部としての係止解除突起１６８となっている。この係止解除突起１６８は、雌型コネクタ１２において、スライダー７８の係止突起１２２と雌型ハウジング２４の組込部５８の係止部６６が係止
された状態において、雄型コネクタ１３４を雌型コネクタ１２に挿入することで、係止解除突起１６８によりスライダー７８の係止突起１２２を押し上げることで係止部６６から係止を解除する部分となる。そのため、係止解除突起１６８は、係止突起１２２を押し上げた際に係止部６６の高さを越えることができる程度の高さで形成されている。
【００７９】
なお、係止解除突起１６８は、円滑に係止突起１２２を押し上げることができるように、挿抜方向側を面取りした面取り部１６９が形成されている（図９Ａ、図９Ｂ参照）。
【００８０】
また、係止解除突起１６８は、雌型コネクタ１２のスライダー７８の係止突起１２２が配置された位置に対応するように、雄型ハウジング１４６の中心軸から一方の側面１７２側にずれた位置に形成されている。
【００８１】
また、被押圧突起１６０と係止解除突起１６８は、係止解除突起１６８に比べ被押圧突起１６０が雌型コネクタ１２に挿入される側、ずなわち、前面１５２側に形成されている。
【００８２】
挿入部１４８の底面１７０には、上面１５８に形成されているように挿入方向に沿った一対の線状突起部１７６が形成されている。また、
【００８３】
一方の側面１７２及び他方の側面１７４には、上面１５８に形成されているように挿入方向に沿った一対の線状突起部１７６がそれぞれ形成されている。
【００８４】
なお、挿入部１４８の後面１５６側の外周の４隅には、楔状の楔突起１８２が形成されており、前面１５２側から後面１５６側に向かうに連れて徐々に大きくなっている。なお、底面１７０側の楔突起１８２には、前面１５２側から楔突起１８２の端部に向かって立設されたガイド突起１８４が形成されている。
【００８５】
また、雄型コネクタ１３４の組立ては、各雄型コンタクト１３６の接続部１４２に電線１４４を接続した各雄型コンタクト１３６を雄型ハウジング１４６の電線支持部１５０側から挿入し、内部空間１７８に形成された固定片１８０に雄型コンタクト１３６が固定されるまで押し込むことで、雄型ハウジング１４６に雄型コンタクト１３６が取り付けられる。また、雄型ハウジング１４６の挿入部１４８の前面１５２に形成された開口部１５４から雄型リテーナ１８６を挿入し、内部空間１７８に装着させ、雄型コネクタ１３４の組立てが完了する。
【００８６】
次に、雄型コネクタ１３４と雌型コネクタ１２の結合について図１、図１０〜図１６を参照して説明する。まず、雄型コネクタ１３４の挿入部１４８の前面１５２と雌型コネクタ１２の結合部２６の前面３０を対向させて配置させる。このとき、雌型コネクタ１２のスライダー７８は、組込部５８にバネ１３０を縮ませた状態で係止されて保持されている（図１Ａ、図１０Ａ、図１２Ａ、図１４Ａ、図１５Ａ参照）。
【００８７】
次に、雌型コネクタ１２の結合部２６の前面３０の開口部３２に、雄型コネクタ１３４の挿入部１４８を前面１５２側から挿入させる。このとき、挿入部１４８の上面１５８に形成された被押圧突起１６０と係止解除突起１６８は、結合部２６の前面３０に形成された通過溝３６を通過し、また、挿入部１４８のガイド突起１８４は結合部２６のガイド溝５６に沿って挿入される（図１０Ｂ、図１２Ｂ、図１４Ｂ、図１５Ｂ参照）。
【００８８】
その後、さらに雄型コネクタ１３４を挿入させると、挿入部１４８の上面１５８に形成された係止解除突起１６８が、雌型コネクタ１２に設けられたスライダー７８の係止腕１２０に形成された係止突起１２２と当接される。そして、雄型コネクタ１３４がさらに押し込まれることで、挿入部１４８の係止解除突起１６８により係止突起１２２が上方に押し上げられると共にスライダー７８の係止腕１２０が弾性変形し、上方へ移動される。このように、スライダー７８の係止突起１２２が押し上げられることで、結合部２６の組込部５８に形成された係止部６６との係止が解除されるようになる。そして、スライダー７８の係止が解除されることで、スライダー７８はバネ１３０の弾性力により組込部５８内を入口側７６に移動されるようになる。このとき、スライダー７８は、雄型コネクタ１３４が挿入の途中であるため、挿入部１４８の被押圧突起１６０にスライダーの押圧突起１０２の傾斜した部分が当接するまで移動される（図１１Ａ、図１３Ａ、図１４Ｃ、図１５Ｃ参照）。
【００８９】
その後、スライダー７８はバネ１３０の弾性力によりさらに移動されることで、スライダー７８の押圧突起１０２が、挿入部１４８の被押圧突起１６０を押圧するようになる。このとき、押圧突起１０２の傾斜押圧部１０４が、この傾斜に沿って、被押圧突起１６０の被押圧部１６６を押圧するようになる。そのため、挿入部１４８の被押圧部１６６は、スライダー７８の押圧突起１０２の傾斜押圧部１０４から挿入方向への応力を受けることで、雌型コネクタ１２の結合部２６の奥側、すなわち後面３８側へ雄型コネクタ１３４の挿入部１４８が移動されるようになる。
【００９０】
そして、雄型コネクタ１３４が雌型コネクタ１２に結合されることで、雄型コネクタ１３４の雄型コンタクト１３６の接触部１８と雌型コネクタ１２の雌型コンタクト１４の接触部１４０とが接触され、雄型コネクタ１３４と雌型コネクタ１２の結合が完了する（図１Ｂ、図１１Ｄ、図１３Ｂ、図１４Ｄ、図１５Ｄ、図１６参照）。このとき、スライダー７８が、案内腕１１２に設けられた規制突起１１６と、組込部５８の壁部７２とが当接し、スライダー７８の移動が規制されるまで移動されるようになる。また、雄型ハウジング１４６の挿入部１４８に形成された楔突起１８２と雌型ハウジング２４の結合部２６に形成された楔状溝５４がそれぞれ嵌合されることで、ねじれ等に対して高い耐久性を有するようになる。
【００９１】
また、このとき、スライダー７８の押圧突起１０２の傾斜押圧部１０４の抜け止め面１０８に雄型ハウジング１４６の挿入部１４８の被押圧突起１６０が当接するようになり、例えば、雄型コネクタ１３４と雌型コネクタ１２が引っ張られた場合に、この抜け止め面１０８に被押圧突起１６０が当接されていることで、雄型コネクタ１３４と雌型コネクタ１２が抜けてしまうことが抑制される。
【００９２】
さらに、スライダー７８は雌型コネクタ１２と雄型コネクタ１３４が結合された状態であってもバネ１３０の弾性力により雄型コネクタ１３４の被押圧突起１６０が押圧されるため、振動等に対して高い耐久性を得ることができる。
【００９３】
なお、挿入部１４８の被押圧突起１６０と係止解除突起１６８及びスライダー７８の押圧突起１０２との位置関係は、雄型コネクタ１３４と雌型コネクタ１２が結合された状態において、被押圧突起１６０と係止解除突起１６８との間に押圧突起１０２の傾斜押圧部１０４が設けられるようになっている。なお、押圧突起１０２に窪み１０６が形成されることで、雄型コネクタ１３４と雌型コネクタ１２が結合された際に、係止解除突起１６８が押圧突起１０２に接触してしまうことが抑制される。
【００９４】
なお、雄型コネクタ１３４と雌型コネクタ１２の結合におけるスライダー７８は、使用者が雄型コネクタと雌型コネクタとを挿入させるように力を加えて行なう際の補助的な役割とすることもできる。
【００９５】
また、雄型コネクタ１３４と雌型コネクタ１２の外し方は、図１０〜図１５で示した各工程を反対に行い、結合された状態の雌型コネクタ１２のスライダー７８をバネ１３０が縮む方向に押圧して移動させる。スライダー７８を組込部５８の奥側、すなわち、一方の側面４４側まで移動させ、押圧突起１０２と挿入部１４８の被押圧突起１６０が接触しない状態となったら、雌型ハウジング２４の結合部２６から雄型コネクタ１３４を引き抜く。その際、スライダー７８の係止突起１２２が挿入部１４８の係止解除突起１６８に押圧されて、スライダー７８の係止腕１２０が変形し、係止解除突起１６８が通過される。係止解除突起１６８が係止突起１２２を通過することで、係止腕１２０が元の位置にもどり、係止突起１２２と係止部６６が係止されて、スライダー７８が組込部５８の元の位置に配置されるようになる。その後、雄型コネクタ１３４を雌型コネクタ１２から引き抜くことで、雄型コネクタ１３４と雌型コネクタ１２を取り外すことができる。
【００９６】
なお、実施形態では、雄型コネクタ１３４の挿入部１４８の被押圧突起１６０を柱状、雌型コネクタ１２のスライダー７８の押圧突起１０２を傾斜した形状とした場合を説明したが、これとは反対に、雄型コネクタの被押圧突起を傾斜した形状とし、雌型コネクタのスライダーの押圧突起を柱状とすることもできる。すなわち、雄型ハウジングに形成された被押圧突起の形状を、結合方向とは反対側となる後面側を傾斜して形成させ、この傾斜した部分を、スライダーに形成された柱状の押圧突起で押圧するようにする。このようにすることでも、実施形態のように、雄型コネクタの雄型ハウジングをスライダーに設けられたバネの弾性力により、結合方向に押し込むことができるようになる。
【符号の説明】
【００９７】
１０：電気コネクタ  １２：雌型コネクタ  １４：雌型コンタクト  １６：雌型コンタクト本体  １８：接触部  ２０：接続部  ２２：電線  ２４：雌型ハウジング  ２６：結合部  ２８：電線支持部  ３０：前面  ３２：開口部  ３４：凹部  ３６：通過溝  ３８：後面  ４０：上面  ４２：底面  ４４：一方の側面  ４６：他方の側面  ４８：窓部  ５０：内部空間  ５２：固定片  ５４：楔状溝  ５６：ガイド溝  ５８：組込部  ６０：連通部  ６２：案内部  ６４：上段部  ６６：係止部  ６８：下段部  ７０：取付部  ７２：壁部  ７４：案内溝  ７５：トンネル溝  ７６：入口側  ７８：スライダー  ８０：前壁部  ８２：挿入口  ８４：後壁部  ８６：操作部  ８８：上壁部  ９０：山部  ９２：案内レール  ９４：底壁部  ９６：一方の側壁部  ９８：他方の側壁部  １０２：押圧突起  １０４：傾斜押圧部  １０６：窪み  １０８：抜け止め面  １０９：押圧面  １１０：第１スリット  １１２：案内腕  １１４：規制部  １１６：規制突起  １１８：第２スリット  １２０：係止腕  １２２：係止突起  １２４：バネ収容部  １２６：平開口部  １２８：隙間  １３０：バネ  １３２：雌型リテーナ  １３４：雄型コネクタ  １３６：雄型コンタクト  １３８：雄型コンタクト本体  １４０：接触部  １４２：接続部  １４４：電線  １４６：雄型ハウジング  １４８：挿入部  １５０：電線支持部  １５２：前面  １５４：開口部  １５６：後面  １５８：上面  １６０：被押圧突起  １６２：曲面状部  １６４：平面状部  １６６：被押圧部  １６８：係止解除突起  １６９：面取り部  １７０：底面  １７２：一方の側面  １７４：他方の側面  １７６：線状突起部  １７８：内部空間  １８０：固定片  １８２：楔突起  １８４：ガイド突起  １８６：雄型リテーナ
【図１】
0006482963.tif 000002
【図２】
0006482963.tif 000003
【図３】
0006482963.tif 000004
【図４】
0006482963.tif 000005
【図５】
0006482963.tif 000006
【図６】
0006482963.tif 000007
【図７】
0006482963.tif 000008
【図８】
0006482963.tif 000009
【図９】
0006482963.tif 000010
【図１０】
0006482963.tif 000011
【図１１】
0006482963.tif 000012
【図１２】
0006482963.tif 000013
【図１３】
0006482963.tif 000014
【図１４】
0006482963.tif 000015
【図１５】
0006482963.tif 000016
【図１６】
0006482963.tif 000017